(57)【要約】【課題】ラベルの貼付状態の不良を低減することができる医療用バッグを提供する。【解決手段】医療用バッグ２１は、相互に重なり合う第１シート部１００と第２シート部１０２との間の貯留空間２２ａに液体を貯留するバッグ本体８４と、第１シート部１００の外表面１００ａに貼り付けられるラベル８６とを備える。バッグ本体８４は、少なくともラベル８６が貼り付けられる第１シート部１００の被貼付領域１０４の硬さが、第２シート部１０２の硬さよりも硬い。【選択図】図３
2020141894.tif 000002
【特許請求の範囲】
【請求項１】
相互に重なり合う第１シート部と第２シート部との間の貯留空間に液体を貯留するバッグ本体と、
前記第１シート部の外表面に貼り付けられるラベルとを備える医療用バッグであって、
前記バッグ本体は、少なくとも前記ラベルが貼り付けられる前記第１シート部の被貼付領域の硬さが、前記第２シート部の硬さよりも硬い
医療用バッグ。
【請求項２】
請求項１記載の医療用バッグにおいて、
前記バッグ本体は、前記第１シート部の肉厚が前記第２シート部の肉厚よりも厚い
医療用バッグ。
【請求項３】
請求項２記載の医療用バッグにおいて、
前記第１シート部は、前記第２シート部を構成するシートを複数積層して構成される
医療用バッグ。
【請求項４】
請求項１記載の医療用バッグにおいて、
前記バッグ本体は、前記第１シート部を構成する材料が前記第２シート部を構成する材料よりも硬い物性を有する
医療用バッグ。
【請求項５】
請求項１〜４のいずれか１項に記載の医療用バッグにおいて、
前記第１シート部全体の硬さが、前記第２シート部よりも硬い
医療用バッグ。
【請求項６】
請求項１〜５のいずれか１項に記載の医療用バッグにおいて、
前記医療用バッグは、遠心分離移送装置に収容されて当該遠心分離移送装置の動作下に前記貯留空間に貯留されている液体を遠心分離する遠心分離用バッグである
医療用バッグ。
【請求項７】
請求項６記載の医療用バッグにおいて、
前記医療用バッグは、前記貯留空間に血液が貯留され、前記遠心分離移送装置の遠心分離後に前記遠心分離移送装置の壁に前記第２シート部が押圧される血液バッグである
医療用バッグ。
【請求項８】
請求項６又は７記載の医療用バッグにおいて、
前記医療用バッグは、前記第１シート部が遠心方向内側に位置し、且つ前記第２シート部が遠心方向外側に位置するように前記遠心分離移送装置に収容される
医療用バッグ。
【請求項９】
請求項１〜８のいずれか１項に記載の医療用バッグにおいて、
前記第１及び第２シート部は、ポリ塩化ビニルを主成分として構成される
医療用バッグ。
【発明の詳細な説明】
【技術分野】
【０００１】
本発明は、液体を貯留する医療用バッグに関する。
【背景技術】
【０００２】
例えば、医療用バッグは、遠心分離移送装置にセットされる血液バッグシステムにおいて、遠心分離前にドナーの血液を貯留し、遠心分離後に血液成分である濃厚赤血球を貯留する血液バッグに適用される。この血液バッグ（医療用バッグ）において血液を直接貯留するバッグ本体には、バッグの種類や血液の情報をユーザに認識させるラベルが貼り付けられる（特許文献１参照）。
【先行技術文献】
【特許文献】
【０００３】
【特許文献１】特開２０１４−１４７７８５号公報
【発明の概要】
【発明が解決しようとする課題】
【０００４】
ところで、血液バッグは、遠心分離移送装置による遠心分離時に血液に遠心力がかかることで、バッグ本体全体が変形する。このバッグ本体の変形により表面に貼り付けられたラベルが剥がれる又は破損する（すなわち、血液バッグの品質が低下する）可能性がある。特に、遠心分離移送装置にセットされる血液バッグは、多量の血液を貯留して大きく膨らんでいるため、遠心力の付与により大きく弾性変形し易い。
【０００５】
本発明は、上記の課題を解決するためになされたものであって、簡単な構成によって、ラベルが貼られたバッグ本体の外表面の変形を抑制することで、ラベルの貼付状態の不良を低減することができる医療用バッグを提供することを目的とする。
【課題を解決するための手段】
【０００６】
前記の目的を達成するために、本発明の一態様は、相互に重なり合う第１シート部と第２シート部との間の貯留空間に液体を貯留するバッグ本体と、前記第１シート部の外表面に貼り付けられるラベルとを備える医療用バッグであって、前記バッグ本体は、少なくとも前記ラベルが貼り付けられる前記第１シート部の被貼付領域の硬さが、前記第２シート部の硬さよりも硬い。
【発明の効果】
【０００７】
上記の医療用バッグは、第２シート部の硬さよりも第１シート部の硬さが硬いという簡単な構成によって、ラベルが貼り付けられた部分の変形を抑制することができる。すなわち、医療用バッグは、バッグ変形が生じる際（血液流入時、遠心分離時、血液流出時等）に第１シート部の変形が抑制されるので、第１シート部のラベルの貼付状態の不良（バッグ本体からラベルが剥がれる又はラベルが破損する等）を低減することができる。
【図面の簡単な説明】
【０００８】
【図１】本発明の一実施形態に係る医療用バッグを適用した血液バッグシステム及び遠心分離移送装置の全体構成を示す説明図である。
【図２】遠心分離移送装置の単位セットエリアを示す平面図である。
【図３】図３Ａは、血液バッグを示す正面図である。図３Ｂは、図３ＡのＩＩＩＢ−ＩＩＩＢ線の断面図である。
【図４】図４Ａは、血液を貯留した状態の血液バッグを示す断面図である。図４Ｂは、遠心分離移送装置のスライダによって血液バッグを押圧した状態を示す説明図である。
【発明を実施するための形態】
【０００９】
以下、本発明について好適な実施形態を挙げ、添付の図面を参照して詳細に説明する。
【００１０】
本発明の一実施形態に係る医療用バッグ２１は、図１に示すように、血液バッグシステム１０のバッグ２０に適用され、医療従事者等のユーザにより遠心分離移送装置１２にセットされる。遠心分離移送装置１２は、血液バッグシステム１０の血液を遠心分離し、複数種類の血液成分を生成して保存する。以下では、血液バッグシステム１０と遠心分離移送装置１２とを含む構成を血液製剤製造システム１４という。
【００１１】
血液バッグシステム１０は、遠心分離前の採血に使用される図示しない前処理部と、遠心分離により血液成分を生成して個別に保存する分離処理部１６とを有し、両部を中継チューブ１８で接続している。分離処理部１６は、遠心分離前に、前処理部に繋がる中継チューブ１８が切断されて図１中に示される状態となり、遠心分離移送装置１２にセットされる。
【００１２】
血液バッグシステム１０の前処理部は、ドナー（供血者）から全血を採取し、また全血から所定の血液成分（例えば、白血球）を除去する。このため前処理部は、採血針、採血バッグ、初流血バッグ、フィルタ（例えば、白血球除去フィルタ）等を有し、複数のチューブにより各部材を接続することで構成される。また分離処理部１６は、中継チューブ１８を介してフィルタの下流側に接続されている。具体的には、前処理部は、採血針を通して採取したドナーの全血のうち最初の血液を初流血バッグに貯留し、その後に残りの血液を採血バッグに貯留する。さらに前処理部は、採血バッグに貯留された全血をフィルタに流動させることで、フィルタにおいて白血球を除去し、この除去血液（白血球除去血液）を分離処理部１６に移送する。
【００１３】
一方、血液バッグシステム１０の分離処理部１６は、複数のバッグ２０（血液バッグ２２、ＰＰＰバッグ２４及び薬液バッグ２６）を有し、複数のチューブ３０により各バッグ２０を接続することで構成される。また、本実施形態に係る医療用バッグ２１は、分離処理部１６の血液バッグ２２に適用されている。よって以下の説明では、医療用バッグ２１を血液バッグ２２とも言う。
【００１４】
血液バッグ２２は、血液バッグシステム１０の製品提供状態で、前処理部と繋がる中継チューブ１８に直接接続されている。このため、血液バッグ２２は、採血時においてフィルタから移送されてきた除去血液を貯留する。この血液バッグ２２は、遠心分離移送装置１２にセットされ、遠心分離移送装置１２の動作により遠心力が付与される。これにより血液バッグ２２の除去血液は、比重の異なる血液成分（乏血小板血漿（platelet poor plasma：ＰＰＰ）、濃厚赤血球（red blood cells：ＲＢＣ））等に遠心分離される。そして、血液バッグ２２は、遠心分離後に遠心分離移送装置１２の動作下に、ＰＰＰが移送されることで、残留したＲＢＣのみを貯留する。
【００１５】
ＰＰＰバッグ２４は、血液バッグ２２からＰＰＰが供給されることで、このＰＰＰを保存する。一方、薬液バッグ２６は、ＭＡＰ液、ＳＡＧＭ液、ＯＰＴＩＳＯＬ等の赤血球保存液を予め収容している。
【００１６】
また、分離処理部１６は、遠心分離移送装置１２にセットされる前に、セグメントチューブ２８が形成される。セグメントチューブ２８は、ドナーの血液（除去血液）が内部に存在する密閉チューブ２８ａを複数有する。複数の密閉チューブ２８ａは、血液バッグ２２と前処理部（フィルタ）との間を接続していた中継チューブ１８がフィルタ付近で切断され、さらに所定間隔毎にシールされることで一連に連なるように形成される。このセグメントチューブ２８は、ユーザにより必要に応じて切り取られ、血液のチェック等に用いられる。
【００１７】
分離処理部１６の複数のチューブ３０は、分岐コネクタ３２（Ｙ型コネクタ）を介して複数に分岐している。詳細には、複数のチューブ３０は、血液バッグ２２と分岐コネクタ３２を接続する第１チューブ３４、ＰＰＰバッグ２４と分岐コネクタ３２を接続する第２チューブ３６、及び薬液バッグ２６と分岐コネクタ３２を接続する第３チューブ３８を含む。第１チューブ３４は第１流路３４ａを有し、第２チューブ３６は第２流路３６ａを有し、第３チューブ３８は第３流路３８ａを有する。第１〜第３流路３４ａ、３６ａ、３８ａは分岐コネクタ３２内の流路を介して相互に連通している。
【００１８】
第１チューブ３４の血液バッグ２２側の端部には、破断可能な封止部材４０（クリックチップ）が設けられている。同様に、第３チューブ３８の薬液バッグ２６側の端部には、破断可能な封止部材４２が設けられている。封止部材４０、４２は、破断操作が行われるまで第１流路３４ａ、第３流路３８ａを遮断し、血液バッグ２２や薬液バッグ２６内の液体を他のバッグ２０に移送することを防止する。
【００１９】
一方、血液バッグシステム１０の分離処理部１６がセットされる遠心分離移送装置１２は、箱状の基体４４と、基体４４の上面を開閉可能な蓋４６と、基体４４に設けられる遠心ドラム４８とを備える。また、遠心分離移送装置１２の基体４４には、遠心ドラム４８を回転させるモータ（不図示）、遠心分離移送装置１２の動作を制御する制御部５０、及びユーザが確認及び操作を行うための操作表示部５２が設けられている。
【００２０】
遠心ドラム４８は、分離処理部１６をセット可能な単位セットエリア５４を複数（６つ）有する。１つの単位セットエリア５４は、その高さがバッグ２０の長手方向長さよりも長く、また遠心ドラム４８の回転中心に対し６０°の範囲に設定されている。つまり、６つの単位セットエリア５４は、周方向に沿って隙間なく並ぶことで、環状の構造体である遠心ドラム４８を構成する。
【００２１】
図１及び図２に示すように、単位セットエリア５４は、遠心ドラム４８の回転に伴い血液バッグ２２に遠心力を付与する。具体的には、単位セットエリア５４は、血液バッグ２２を収容する血液バッグポケット５６と、ＰＰＰバッグ２４を収容するＰＰＰバッグポケット５８と、薬液バッグ２６を収容する薬液バッグポケット６０とを遠心ドラム４８の径方向外側位置に備える。
【００２２】
血液バッグポケット５６は、単位セットエリア５４の周方向中央部に設けられ、ＰＰＰバッグポケット５８や薬液バッグポケット６０よりも大きな容積を有する。ＰＰＰバッグポケット５８と薬液バッグポケット６０は、血液バッグポケット５６よりも径方向外側において周方向に並んで設けられる。
【００２３】
また、単位セットエリア５４の上面５４ａは、血液バッグシステム１０の複数のチューブ３０を配置し保持するように構成されている。上面５４ａにおいて血液バッグポケット５６よりも径方向内側の中央領域５４ａ１（第１領域）には、第１チューブ３４及びセグメントチューブ２８の一部分が配置される。また中央領域５４ａ１には、血液バッグポケット５６の開口を開閉する蓋体６２が設けられている。さらに蓋体６２に閉塞される第１チューブ３４の配置位置には、封止部材４０を破断する破断部６４の一部、第１チューブ３４を流動する血液の状態を検出するセンサ６６（光学センサ）が設けられている。
【００２４】
上面５４ａの左領域５４ａ２（第２領域）には、中央領域５４ａ１を通った第１チューブ３４の一部分、分岐コネクタ３２、第２チューブ３６及び第３チューブ３８の一部分が配置される。この左領域５４ａ２には、分岐コネクタ３２を保持するホルダ６８、第２チューブ３６の第２流路３６ａを開閉するＰＰＰ用クランプ７０、及び第３チューブ３８の第３流路３８ａを開閉する薬液用クランプ７２が設けられている。
【００２５】
上面５４ａの右領域５４ａ３（第３領域）には、中央領域５４ａ１を通ったセグメントチューブ２８の一部分が配置される。この右領域５４ａ３には、セグメントチューブ２８の複数の密閉チューブ２８ａを収容するセグメントポケット７４が設けられている。
【００２６】
さらに、単位セットエリア５４のＰＰＰバッグポケット５８や薬液バッグポケット６０よりも径方向外側には、上面５４ａよりも上方に突出するチューブ保持部７６が設けられている。チューブ保持部７６は、単位セットエリア５４の外周縁に連なる外壁７８と、外周縁から外壁７８よりも内側に突出する内壁８０とを有し、外壁７８と内壁８０の間に第２チューブ３６を配置させる。内壁８０は、左領域５４ａ２のＰＰＰ用クランプ７０付近（薬液バッグポケット６０の左側）からＰＰＰバッグポケット５８の周方向途中位置まで延在し、第２チューブ３６をＰＰＰバッグポケット５８にガイドする。
【００２７】
また、単位セットエリア５４は、遠心分離後の血液バッグ２２を押圧するスライダ８２（押し子）を血液バッグポケット５６の径方向内側に備える。スライダ８２の血液バッグ２２に対向する面は傾斜面８２ａに形成されている。スライダ８２は、制御部５０（図１参照）の制御下に、遠心ドラム４８の径方向に沿って進退する。
【００２８】
上記の単位セットエリア５４は、ユーザにより、除去血液を貯留した血液バッグ２２が血液バッグポケット５６に、空のＰＰＰバッグ２４がＰＰＰバッグポケット５８に、薬液を貯留した薬液バッグ２６が薬液バッグポケット６０にそれぞれ収容される。そして、単位セットエリア５４は、遠心ドラム４８の回転により血液バッグ２２の除去血液を遠心分離し、遠心分離後にスライダ８２を進出して血液バッグ２２を押圧する。これにより、血液バッグ２２内で遠心分離により生じたＰＰＰがＰＰＰバッグ２４に移送され、ＰＰＰの移送後は血液バッグ２２にＲＢＣが残留する。その後、血液バッグシステム１０は、ユーザにより遠心分離移送装置１２から取り出されて、図示しないスタンドに薬液バッグ２６が吊り下げられる。これにより薬液バッグ２６から血液バッグ２２に赤血球保存液が供給され、血液バッグ２２は薬液を含むＲＢＣ（血液製剤）を貯留した状態となる。
【００２９】
次に、本実施形態に係る血液バッグ２２（医療用バッグ２１）の構成について図３Ａ及び図３Ｂを参照して説明する。血液バッグ２２は、上記したように遠心分離移送装置１２に収容され、貯留空間２２ａに貯留されている血液の遠心分離がなされる遠心分離用バッグである。
【００３０】
血液バッグ２２は、血液（除去血液）を貯留する貯留空間２２ａを有するバッグ本体８４と、バッグ本体８４に貼り付けられるラベル８６とを備える。バッグ本体８４は、シートを重ねて周囲をシールすることにより袋状に形成される。具体的には、バッグ本体８４は、平面視（ラベル８６側から見た正面視）で、貯留空間２２ａを構成する収容部８８と、収容部８８の周囲においてシールされた部分であるシール部９０とを有する。
【００３１】
また、バッグ本体８４の長手方向一端部（上部）には、第１チューブ３４が接続される第１接続ポート９２と、セグメントチューブ２８が接続される第２接続ポート９４と、２つの取出ポート９６とが設けられている。なお、取出ポート９６は、血液の流出を遮断するカバー９８によって覆われている。
【００３２】
各ポート９２、９４、９６は、シール部９０の形成時に貯留空間２２ａに連通した状態で溶着される。また第１及び第２接続ポート９２、９４は、各チューブ３４、２８の端部に溶着や接着等の適宜の固着手段により強固に固着される。シール部９０には、遠心分離移送装置１２に血液バッグ２２を吊り下げ保持するための一対の孔部９１が設けられている。
【００３３】
このバッグ本体８４は、第１シート部１００と第２シート部１０２とをシール部９０において相互にシールする一方で、収容部８８において非シールとすることで当該収容部８８の内側に貯留空間２２ａを形成している。第１シート部１００と第２シート部１０２は、可撓性を有し、貯留空間２２ａへの血液の流入や流出に伴って弾性変形可能な樹脂材料により構成される。バッグ本体８４は、貯留空間２２ａに血液を貯留していない状態で、第１シート部１００と第２シート部１０２が相互に密着し合って貯留空間２２ａを閉じた薄い形態を呈している。なお、図３Ｂでは第１シート部１００と第２シート部１０２を認識し易くするために、貯留空間２２ａを間に挟んだ状態で図示している。
【００３４】
バッグ本体８４（第１及び第２シート部１００、１０２）を構成する樹脂材料は、特に限定されるものではないが、例えば、ポリ塩化ビニル、エチレン−酢酸ビニル共重合体、ポリエチレン、ポリプロピレン等のポリオレフィンが挙げられる。本実施形態において、バッグ本体８４は、ポリ塩化ビニルを主成分として構成されている。
【００３５】
そして、本実施形態に係るバッグ本体８４は、第１シート部１００の硬さが第２シート部１０２の硬さよりも硬く設定されている。このように第１シート部１００が第２シート部１０２よりも硬い（弾性率が大きい、剛性が高い）ことで、血液の流入（流出）時や血液に遠心力がかかった際に、第１シート部１００が第２シート部１０２よりも弾性変形（湾曲）し難くなる。すなわち、遠心力がかかった際に第１シート部１００の湾曲の程度が第２シート部１０２よりも小さい（第１シート部１００のほうが第２シート部１０２よりも平坦に近い）。
【００３６】
また本実施形態において、第１シート部１００の硬さは、第１シート部１００の肉厚を第２シート部１０２の肉厚よりも厚く形成することにより実現している。より詳細には、第１シート部１００は、第２シート部１０２を構成するシート１０３を複数（図３Ｂ中では２枚）重ねて、重ね合わせた面同士を溶着や接着等の固着手段により固着することで構成される。つまり、第１シート部１００の肉厚は、第２シート部１０２の肉厚に対して２倍以上厚くなっている。なお、第１シート部１００を構成するシート１０３同士は固着されていなくてもよい。また、第１シート部１００は、複数のシート１０３を重ねた構造に限らず、第２シート部１０２を構成するシート１０３の肉厚よりも厚い肉厚を有するシート（不図示）を適用したものでもよい。第１シート部１００は、シート１０３を３枚以上重ねたものでもよい。
【００３７】
さらに、第１シート部１００を第２シート部１０２よりも硬くする（弾性変形し難くする）構造は、肉厚を厚くすることに限定されるものではない。例えば、第１シート部１００を構成する樹脂材料について、第２シート部１０２を構成する樹脂材料よりも硬い物性のものを適用することにより、第１シート部１００を硬くすることができる。
【００３８】
このようにバッグ本体８４は、第１シート部１００が第２シート部１０２よりも硬いことで、貯留空間２２ａへの血液の流入時や貯留空間２２ａからの血液の流出時に、第１シート部１００と第２シート部１０２を非対称に弾性変形させる（図４Ａも参照）。すなわち、血液バッグ２２に血液が流入する際には、第２シート部１０２が大きく膨らむ一方で、第１シート部１００が小さく膨らむ。逆に、遠心力が血液にかかった際や血液流出時には、第２シート部１０２が大きく弾性変形する一方で、第１シート部１００が小さく弾性変形する。
【００３９】
そして、血液バッグ２２のラベル８６は、バッグ本体８４の第１シート部１００に貼り付けられる。つまり血液バッグ２２の製造時において、第１シート部１００の貯留空間２２ａと反対側の外表面１００ａには、ラベル８６が貼り付けられる被貼付領域１０４が設定されている。
【００４０】
ラベル８６は、紙（植物繊維）により構成され、所定の情報が印字されたラベル表面８６ａと、ラベル表面８６ａの反対側でバッグ本体８４に貼付可能な粘着性を有する貼付面８６ｂとを有する。ラベル８６は、貼付面８６ｂ全面が第１シート部１００に貼り付けられることで、第１シート部１００の形状変化に追従して変形する。
【００４１】
また、ラベル８６は、バッグ２０の種類を示すために血液バッグシステム１０の提供時に貼り付けられる第１ラベル１０６と、血液（除去血液）を貯留した際に血液の情報を示すために第１ラベル１０６に積層して貼り付けられる第２ラベル１０８とを含む。第２ラベル１０８は、平面視で、第１ラベル１０６よりも広い面積を有し、その周囲の外周部が第１シート部１００の外表面１００ａに貼り付けられる。
【００４２】
本実施形態に係る医療用バッグ２１（血液バッグ２２）は、基本的には以上のように構成されるものであり、以下その動作について説明する。
【００４３】
上述したように、血液バッグシステム１０は、前処理部及び分離処理部１６が接続された状態で製品提供され、遠心分離前の採血に使用される。この際、血液バッグ２２は、バッグ本体８４の第１シート部１００に第１ラベル１０６が貼り付けられ、且つ貯留空間２２ａの容積がゼロの状態となっている。血液バッグシステム１０のユーザ（医療従事者）は、採血時に前処理部を用いることにより、ドナーの全血から所定成分（白血球）を除いた除去血液を血液バッグ２２に貯留する。
【００４４】
血液バッグ２２は、第２シート部１０２が第１シート部１００よりも柔らかいため、第２シート部１０２が容易に弾性変形可能となっている。つまり前処理部により除去血液を貯留する際には、図４Ａに示すように、第１シート部１００が小さく膨らむ一方で、第２シート部１０２が第１シート部１００よりも大きく膨らんでいき、貯留空間２２ａの容積を増加させていく。貯留空間２２ａには、所定の血液量（例えば、４００ｃｃ）の血液が貯留される。この状態において、収容部８８を構成する第２シート部１０２のうち最も突出する中央部は、シール部９０からの突出量が反対側の第１シート部１００のうち最も突出する中央部の突出量の２倍以上となる。
【００４５】
採血後に、第１シート部１００の第１ラベル１０６の直上には、ドナーの除去血液に対応した情報を有する第２ラベル１０８が貼り付けられる。この際、第１シート部１００は、第２シート部１０２よりも平坦状を呈しており、第２ラベル１０８は、しわ等が抑制されて良好に貼り付けられる。
【００４６】
そして、ユーザは、除去血液を遠心分離するために、血液バッグシステム１０の分離処理部１６を前処理部から切り離して遠心分離移送装置１２にセットする。血液バッグ２２は、単位セットエリア５４の血液バッグポケット５６に収容される。血液バッグ２２の収容において、ユーザは、ラベル８６が単位セットエリア５４の径方向内側（遠心中心側）を臨むように血液バッグ２２の向きを調整する。すなわち、血液バッグ２２は、第１シート部１００が遠心方向内側に位置し、且つ第２シート部１０２が遠心方向外側に位置するように遠心分離移送装置１２に収容される。
【００４７】
血液バッグシステム１０のセット後に、遠心分離移送装置１２は、制御部５０の制御下に遠心ドラム４８を回転させることで、血液バッグ２２の除去血液を、比重が異なる血液成分（ＰＰＰ、ＲＢＣ等）に遠心分離する。第１シート部１００が第２シート部１０２よりも弾性変形し難くなっていることで、この遠心分離において血液に遠心力が付与されても第１シート部１００の形状変形が抑制される。これにより、ラベル８６の貼付状態が良好に維持される。
【００４８】
遠心分離移送装置１２は、図４Ｂに示すようにスライダ８２を血液バッグ２２に向けて移動させ、スライダ８２の傾斜面８２ａと単位セットエリア５４の構造壁との間で血液バッグ２２を押圧する。これにより、比重が軽いＰＰＰが血液バッグ２２から流出し、このＰＰＰは、第１チューブ３４、分岐コネクタ３２、第２チューブ３６を順に流動してＰＰＰバッグ２４に流入する。
【００４９】
この際、血液バッグ２２は、スライダ８２の押圧時に、第１シート部１００に貼り付けられたラベル８６の貼付状態が良好に維持されるので、スライダ８２の傾斜面８２ａは、ラベル８６のラベル表面８６ａ全体に接触しつつ第１シート部１００を押圧する。従って、押圧時においても、遠心分離移送装置１２内でのラベル８６の剥がれが防止されて、ラベル８６の貼付状態を良好に維持することができる。
【００５０】
また、スライダ８２の押圧時には、血液バッグ２２の第１シート部１００が第２シート部１０２よりも硬いことで、第１シート部１００は、第２シート部１０２よりも第１接続ポート９２の近くに存在して傾斜面８２ａに沿って平坦面を構成している。そのため、血液バッグ２２は、貯留空間２２ａの上澄み成分であるＰＰＰを、第１接続ポート９２にスムーズに導くことが可能となる。
【００５１】
遠心分離移送装置１２は、血液バッグ２２からＰＰＰバッグ２４にＰＰＰを移送すると、スライダ８２を後退させ、血液バッグポケット５６から血液バッグ２２を取り出し可能とする。血液バッグ２２にはＲＢＣが貯留されている。その後、ユーザは、血液バッグシステム１０を遠心分離移送装置１２から取り出して、薬液バッグ２６をスタンドに吊り下げることで、赤血球保存液を血液バッグ２２に供給する。
【００５２】
これにより血液バッグ２２には、赤血球保存液を含むＲＢＣが貯留される。また血液バッグ２２は、赤血球保存液の流入に伴い膨らむが、第１シート部１００が第２シート部１０２よりも硬いことで変形が抑制されて、第１シート部１００が略平坦状を呈する。そのため、ラベル８６が見易くなり、ユーザに対する視認性を向上させる。
【００５３】
なお、本発明は、上述の実施形態に限定されず、発明の要旨に沿って種々の改変が可能である。例えば、上述の実施形態では、バッグ本体８４の第１シート部１００全体の硬さを第２シート部１０２の硬さよりも硬くした。しかしながら、バッグ本体８４は、この構成に限定されず、例えば、第１シート部１００においてラベル８６が貼り付けられる予定の被貼付領域１０４のみの硬さを第２シート部１０２の硬さよりも硬くし、被貼付領域１０４の周囲を柔軟に（例えば、第２シート部１０２と同程度の硬さに）構成してもよい。
【００５４】
また、本発明に係る医療用バッグ２１は、血液バッグシステム１０の血液バッグ２２に適用されることに限定されない。医療用バッグ２１は、ＰＰＰバッグ２４や薬液バッグ２６に適用されてもよく、また血液バッグシステム１０以外の医療用途で使用されるバッグ、例えば、輸液が貯留される輸液バッグに適用されてもよい。特に、医療用バッグ２１は、上記したように遠心分離移送装置１２に収容され、貯留空間２２ａに貯留される液体を遠心分離する遠心分離用バッグにおいて効果的である。
【００５５】
上述の実施形態から把握し得る技術的思想及び効果について、以下に記載する。
【００５６】
医療用バッグ２１（血液バッグ２２）は、第２シート部１０２の硬さよりも第１シート部１００の硬さが硬いという簡単な構成によって、ラベル８６が貼り付けられた部分の変形を抑制することができる。すなわち、医療用バッグ２１は、バッグ変形が生じる際（血液流入時、遠心分離時、血液流出時等）に、第１シート部１００の変形が抑制される。これにより医療用バッグ２１は、ラベル８６の貼付状態の不良（バッグ本体８４からラベル８６が剥がれる又は破損する等）を低減することができる。
【００５７】
また、バッグ本体８４は、第１シート部１００の肉厚が第２シート部１０２の肉厚よりも厚い。これにより、第１シート部１００が第２シート部１０２よりも硬い医療用バッグ２１を容易に形成することができる。
【００５８】
また、第１シート部１００は、第２シート部１０２を構成するシート１０３を複数積層して構成される。これにより、医療用バッグ２１は、第１シート部１００と第２シート部１０２を同じシート１０３を用いて形成することが可能となり、製造コストを大幅に低廉化することができる。
【００５９】
また、バッグ本体８４は、第１シート部１００を構成する材料が第２シート部１０２を構成する材料よりも硬い物性を有していてもよい。このように、材料を異ならせることでも、第１シート部１００が第２シート部１０２よりも硬い構成を容易に形成することができる。しかも第１シート部１００と第２シート部１０２の肉厚が同程度であれば、ユーザに違和感を生じさせずに、医療用バッグ２１を取り扱わせることができる。
【００６０】
また、第１シート部１００全体の硬さが、第２シート部１０２よりも硬い。これにより、医療用バッグ２１の製造時に、第１シート部１００を一様に形成することが可能となり、効率的に製造することができる。
【００６１】
また、医療用バッグ２１は、遠心分離移送装置１２に収容されて当該遠心分離移送装置１２の動作下に貯留空間２２ａに貯留されている液体を遠心分離する遠心分離用バッグである。これにより、医療用バッグ２１は、遠心分離移送装置１２の動作時に第１シート部１００の変形を良好に抑制することができる。
【００６２】
また、医療用バッグ２１は、貯留空間２２ａに血液が貯留され、遠心分離移送装置１２の遠心分離後に遠心分離移送装置１２の壁に第２シート部１０２が押圧される血液バッグ２２である。血液バッグ２２は、血液の貯留時に、第１シート部１００の膨らみを抑えて第２シート部１０２を大きく膨らませる。これにより遠心分離移送装置１２に血液バッグ２２を収容して遠心分離を行った際に、ラベル８６が第１シート部１００から剥がれることが抑制され、遠心分離移送装置１２の構造にラベル８６がくっつく等の不都合を回避することができる。
【００６３】
また、医療用バッグ２１は、第１シート部１００が遠心方向内側に位置し、且つ第２シート部１０２が遠心方向外側に位置するように遠心分離移送装置１２に収容される。これにより、遠心分離移送装置１２は、第２シート部１０２をスムーズに押圧して、医療用バッグ２１から遠心分離した成分を流出させ、また第１シート部１００の変形を抑えることができる。
【００６４】
また、第１及び第２シート部１００、１０２は、ポリ塩化ビニルを主成分として構成される。これにより、医療用バッグ２１は、貯留空間２２ａに血液を衛生的に貯留し、また第１及び第２シート部１００、１０２によりラベル８６の破損等を抑制することができる。
【符号の説明】
【００６５】
１０…血液バッグシステム                １２…遠心分離移送装置
２１…医療用バッグ                      ２２…血液バッグ
２２ａ…貯留空間                        ８２…スライダ
８４…バッグ本体                        ８６…ラベル
１００…第１シート部                    １０２…第２シート部
１０３…シート                          １０４…被貼付領域
【図１】
2020141894.tif 000003
【図２】
2020141894.tif 000004
【図３】
2020141894.tif 000005
【図４】
2020141894.tif 000006